(57)【要約】【課題】  負荷への放電時間またはバッテリへの充電時間に応じて、充電制御を切り替えることができる充電制御装置および照明装置を提供することである。【解決手段】  実施形態の充電制御装置および照明装置は、第１充電電流値によりバッテリを充電する第１充電制御回路と；第１充電電流値より大きい第２充電電流値によりバッテリを充電する第２充電制御回路と；バッテリから負荷への放電時間を計時する放電時間検出回路と；第１充電制御回路による充電時間を計時する第１充電制御検出回路と；を具備し、第１充電制御検出回路が計時する充電時間が第１所定時間以上、または放電時間検出回路が計時する放電時間が第２所定時間以上の場合に第２充電制御回路によりバッテリを充電することを特徴とする。【選択図】図７
2012249352.tif 000002
【特許請求の範囲】
【請求項１】
第１充電電流値によりバッテリを充電する第１充電制御回路と；
第１充電電流値より大きい第２充電電流値によりバッテリを充電する第２充電制御回路と；
バッテリから負荷への放電時間を計時する放電時間検出回路と；
第１充電制御回路による充電時間を計時する第１充電制御検出回路と；を具備し、
第１充電制御検出回路が計時する充電時間が第１所定時間以上、または放電時間検出回路が計時する放電時間が第２所定時間以上の場合に第２充電制御回路によりバッテリを充電することを特徴とする充電制御装置。
【請求項２】
充電制御状態により点灯制御を可変する充電モニタと；
を具備することを特徴とする請求項１記載の充電制御装置。
【請求項３】
バッテリと；
請求項１または２に記載の充電制御装置と；
外部電源から供給される電力により点灯する光源と；
バッテリから供給される電力により点灯する補助光源と；
を具備することを特徴とする照明装置。
【発明の詳細な説明】
【技術分野】
【０００１】
本発明の実施形態は、充電制御装置および照明装置に関する。
【背景技術】
【０００２】
従来の非常用点灯装置および非常用照明装置には、ランプの点灯時間が所定時間以上の場合には急速充電によりバッテリの充電制御を行い、ランプの点灯時間が所定時間経過していない場合にはトリクル充電によりバッテリの充電制御を行うものが知られている。このような非常用点灯装置および非常用照明装置においては、トリクル充電の充電電流値によっては、バッテリに蓄えられた電力がバッテリの充電容量の最大値より徐々に低下する虞があった。
【先行技術文献】
【特許文献】
【０００３】
【特許文献１】特許第４０９２６０６号
【発明の概要】
【発明が解決しようとする課題】
【０００４】
本発明が解決しようとする課題は、負荷への放電時間またはバッテリへの充電時間に応じて、充電制御を切り替えることができる充電制御装置および照明装置を提供することである。
【課題を解決するための手段】
【０００５】
実施形態の充電制御装置および照明装置は、第１充電電流値によりバッテリを充電する第１充電制御回路と；第１充電電流値より大きい第２充電電流値によりバッテリを充電する第２充電制御回路と；バッテリから負荷への放電時間を計時する放電時間検出回路と；第１充電制御回路による充電時間を計時する第１充電制御検出回路と；を具備し、第１充電制御検出回路が計時する充電時間が第１所定時間以上、または放電時間検出回路が計時する放電時間が第２所定時間以上の場合に第２充電制御回路によりバッテリを充電することを特徴とする。
【発明の効果】
【０００６】
本発明によれば、負荷への放電時間またはバッテリへの充電時間を計時することにより、充電制御を切り替えることが期待できる。
【図面の簡単な説明】
【０００７】
【図１】実施例１の照明装置１００を示す斜視図。
【図２】同じく照明装置１００を分解して示す斜視図。
【図３】同じく照明装置１００の補助部品ユニット８においてケースカバーを取外した状態で前面側から見て示す平面図。
【図４】同じく照明装置１００の天井面への取付状態を示す断面図。
【図５】同じく照明装置１００の回路構成を示す構成図。
【図６】実施例２の照明装置１０１の回路構成を示す構成図
【図７】実施例３の充電制御装置１３０の回路構成を示す構成図
【図８】同じく照明装置１０２の回路構成を示す構成図
【発明を実施するための形態】
【０００８】
（第１の実施形態）第１の実施形態の充電制御装置は、第１充電電流値によりバッテリを充電する第１充電制御回路と；第１充電電流値より大きい第２充電電流値によりバッテリを充電する第２充電制御回路と；バッテリから負荷への放電時間を計時する放電時間検出回路と；第１充電制御回路による充電時間を計時する第１充電制御検出回路と；を具備し、第１充電制御検出回路が計時する充電時間が第１所定時間以上、または放電時間検出回路が計時する放電時間が第２所定時間以上の場合に第２充電制御回路によりバッテリを充電することを特徴とする。
【０００９】
（第２の実施形態）第２の実施形態の充電制御装置は、第１の実施形態の充電制御装置において、充電制御状態により点灯制御を可変する充電モニタと；を持つ。
【００１０】
（第３の実施形態）第３の実施形態の照明装置は、バッテリと；第１の実施形態または第２の実施形態に記載の充電制御装置と；外部電源から供給される電力により点灯する光源と；バッテリから供給される電力により点灯する補助光源と；を持つ。
【００１１】
以下、実施形態の充電制御装置および照明装置を図面を参照して説明する。
【実施例１】
【００１２】
本発明の実施例１の照明装置１００について図面を参照して説明する。図１は実施例１の照明装置１００の全体構成を示す斜視図、図２は同じく照明装置１００を分解して示す斜視図、図３は同じく照明装置１００の補助部品ユニット８においてケースカバーを取外した状態で前面側から見て示す平面図、図４は同じく照明装置１００の天井面への取付状態を示す断面図である。なお、図１ないし図４において、リード線等による配線接続関係は省略して示している場合がある。また、同一部分には同一符号を付し、重複した説明は省略する。
【００１３】
実施例１の照明装置１００は、図４に示すように、器具取付面Ｃとしての天井面に設置された配線器具Ｃｂ、例えば引掛けシーリングボディに取付けられて使用される形式であり、導光板７を用いて例えば、室内の照明を行うものである。
【００１４】
図１、図２または図４において、照明装置１００は、器具本体１と、器具取付面としての天井面Ｃに設置された配線器具Ｃｂに電気的かつ機械的に接続されるアダプタＡとを備えている。また、図３において、照明装置１００は、リモコン送信器Ｒの信号を受信する第１受信部８１と第２受信部８４とを備えている。器具本体１は、図１に示すように略正方形状の外観に形成され、前面側を光の照射面とし、背面側を天井面Ｃへの取付面としている。
【００１５】
図２に代表して示すように、器具本体１は、電源ユニット２と、サポートシャーシ３と、センターシャーシ４と、アダプタガイド５と、光源部６と、導光板７と、補助部品ユニット８と、本体枠９と、カバー部材１０とを備えている。これら構成要素について順次説明する。
【００１６】
電源ユニット２は、熱伝導性を有するアルミニウム等の金属製のケース部材２１に覆われるようになっており、このケース部材２１に取付けられて収容された回路基板２２と、この回路基板２２に実装された回路部品２３とを備えている。ケース部材２１は、略直方体形状の薄型の箱状に形成されていて、一長辺側と一短辺側には、当該辺に沿って外方に延出する鍔状の図示しない接続部が形成されている。また、一長辺側と対向する長辺側には、図示しない取付舌片が延出して形成されている。
【００１７】
回路基板２２は、ガラスエポキシ樹脂等の絶縁材料からなり、略長方形の板状に形成されて、表面側には、制御用ＩＣ、コンデンサ、巻線部品、抵抗素子等の回路部品２３が実装されている。また、電源側に接続される図示しない電源コネクタ、光源部６を接続するための図示しない負荷接続用コネクタや補助部品ユニット８を接続するための図示しないハーネスが設けられている。さらに、回路基板２２の裏面側には、スイッチング素子や表面実装部品等の比較的高さ寸法の小さい部品が実装されている。
【００１８】
このような回路基板２２は、図４に代表して示すように、図示上、表面側を下側にして図示しない樹脂製固定具によってケース部材２１に取付けられている。図示しない樹脂製固定具は、先端がケース部材２１の背面側から前面側へ突出するように配置されていて、これが回路基板２２に形成された取付穴に圧入されるようになっている。図４に示すように、ケース部材２１は、回路基板２２より大きく形成されていて、回路基板２２の取付け状態では、回路基板２２は、鍔状の図示しない接続部側と離反して配置されるようになっている。
【００１９】
以上のような電源ユニット２は、図示しない電源コネクタにアダプタＡ側が電気的に接続されて、アダプタＡを介して外部電源としての商用交流電源に接続される。したがって、電源ユニット２は、この交流電源を受けて直流出力を生成し、図示しない負荷接続用コネクタからリード線を介してその直流出力を発光素子６１に供給し、発光素子６１を点灯制御するようになっている。この点灯装置２は、サポートシャーシ３の背面側に位置して取付けられている。
【００２０】
サポートシャーシ３は、放熱部材を兼用しているもので、放熱部材として機能する。サポートシャーシ３は、熱伝導性を有するアルミニウム等の金属材料から略正方形状に形成されており、背面側に正方形状の浅皿状の凹部３１を有し、この凹部３１の各辺には外側に段状に屈曲して延出する取付片３２が形成されている。また、凹部３１の前面側は、導光板７を支持する支持面として構成されており、さらに、略中央部には、四角形状の開口３３が形成されている。
【００２１】
センターシャーシ４は、前記サポートシャーシ３と一体的に連結されてシャーシ本体を構成するものである。センターシャーシ４は、冷間圧延鋼板等の金属材料から略直方体の箱状に形成されており、一端側（図示上、下側）を開放し、この開放した各辺には外側に向かって水平方向に延出する鍔状の当接部４１が形成されている。また、他端側（図示上、上側）には、円形状の開口４２が形成されている。したがって、センターシャーシ４は、全体としては高さの低い略筒状をなしている。当接部４１は、導光板７の背面側にサポートシャーシ３を介して当接される部分であり、開口４２は、アダプタＡが挿通される部分である。そして、図２または図４に示すように、センターシャーシ４の当接部４１は、サポートシャーシ３における開口３３の周辺部に上から重合されるように配置され、こられが固定手段によって固着されている。なお、センターシャーシ４の当接部４１は、導光板７を補強する機能を有している。このようにシャーシ本体は、センターシャーシ４の開口４２から背面側に凹部３１を形成して外周方向に延出し一体化されている。
【００２２】
アダプタガイド５は、図２の参照を加えて示すように、センターシャーシ４と同様に、全体としては高さの低い直方体形状に形成されていて、中央部にアダプタＡが挿通し、係合する係合口５１が設けられており、下端側に外方へ向かう鍔部５２が形成されている。このアダプタガイド５は、その外周面がセンターシャーシ４の内周面に接するように配設され取付けられている。また、アダプタガイド５は、カバー部材１０が着脱可能に取付けられる着脱機構を備えている。
【００２３】
光源部６は、図２および図４に示すように、発光素子６１が実装された基板６２と、この基板６２が取付けられる取付部材としての取付板６３とから構成されている。
【００２４】
基板６２は、横長の長方形状で絶縁材であるガラスエポキシ樹脂の平板からなり、表面側には銅箔で形成された配線パターンが施されている。また、適宜レジスト層が施されるようになっている。なお、基板６２の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用してもよい。
【００２５】
発光素子６１は、ＬＥＤであり、表面実装型のＬＥＤパッケージである。このＬＥＤパッケージが基板６２の長手方向に沿って多数直線状に並べられて実装され配設されている。ＬＥＤパッケージは、概略的にはセラミックスで形成された本体に配設されたＬＥＤチップと、このＬＥＤチップを封止するエポキシ系樹脂やシリコーン樹脂等のモールド用の透光性樹脂とから構成されている。
【００２６】
ＬＥＤチップは、青色光を発光する青色のＬＥＤチップである。透光性樹脂には、蛍光体が混入されており、白色光を出射できるようにするために、青色の光とは補色の関係にある黄色系の光を放射する黄色蛍光体が使用されている。
【００２７】
なお、ＬＥＤは、ＬＥＤチップを直接基板６２に実装するようにしてもよく、また、砲弾型のＬＥＤを実装するようにしてもよく、実装方式や形式は、格別限定されるものではない。さらに、発光素子６１は異なる色温度であってもよく、異なる色温度の発光素子６１が光源部６を構成してもよい。
【００２８】
取付板６３は、アルミニウムや亜鉛めっき鋼板等の熱伝導が良好な材料から作られており、横長で側面が略Ｃ型形状に形成されている。この取付板６３の内側壁には、基板６２が、ねじ止め等によって、その裏面側が密着するように取付けられている。したがって、光源部６は、取付板６３に基板６２が取付けられてユニット化されている。
【００２９】
実施例１では、主として図２に示すように、このユニット化された光源部６が２個用
【００３０】
いられており、導光板７の対向する二つの辺に対応して配設されるようになっている。なお、このユニット化された光源部６は、導光板７の各辺に対応するように配設してもよく、適宜設計に応じて選択することができる。
【００３１】
導光板７は、アクリル樹脂等の透過率の高い材料を用いて四角形状の平板状に形成され、背面側の全面には光を拡散する多数の白色の反射ドットからなるドットパターンが印刷によって形成されているとともに反射シートが設けられている。また、前面側の全面には、拡散シートが設けられている。さらに、導光板７の略中央部には、アダプタガイド５の外形と対応し、また、アダプタＡと対応するように四角形状の開口７１が形成されている。また、この導光板７の外周部である四角形状の各辺、すなわち、側端面は、発光素子６１から出射される光が入射して導光板７内を進行する光入射端面７２として機能するようになっている。
【００３２】
図３に示すように、補助部品ユニット８は、横長箱状のケース内にユニット基板８１、この基板８１に実装された複数の電気的補助部品および基板８１と電気的補助部品とを収納する筐体を備えて構成されている。実施例１における電気的補助部品は、後述するバッテリ１３ａにより給電されてリモコン送信器Ｒから送出される信号を受信する第１受信部８１と、商用交流電源により給電されてリモコン送信器Ｒから送出される信号を受信する第２受信部８４と、後述するバッテリ１３ａにより給電されて点灯する補助光源としての保安灯８６と、外部電源としての商用交流電源により給電されて点灯する第２補助光源としての常夜灯８５と、リモコン送信器Ｒの信号が送出可能な範囲内に複数の照明装置１００が設置された場合にリモコン送信器Ｒから送出された信号を識別可能に切り替えるためのスイッチ８７と、商用交流電源から供給される電力を充電する後述のバッテリ１３ａの充電制御状態を報知する報知部としての充電モニタ８８とを有している。なお、常夜灯８５は、保安灯８６と共用して設けられ、補助光源としてもよい。
【００３３】
第１受信部８１および第２受信部８４は、赤外線受光ＩＣであり、光電変換素子であるフォトダイオードや増幅器等から構成されており、リモコン送信器Ｒから送信される赤外線制御信号を受信して発光素子６１の発光状態等を制御するように動作する。
【００３４】
常夜灯８５は、その光源として前面側にレンズが設けられたＬＥＤのパッケージが用いられるとともに、点灯時における常夜灯８５の直下の水平面照度が０．５〜１ｌｘ程度となるようにしている。なお、常夜灯８５には、表面実装形のＬＥＤが用いられてもよい。
【００３５】
保安灯８６には、その光源として表面実装形のＬＥＤが用いられていて、このＬＥＤが４個実装されているとともに、点灯時における保安灯８６の直下の水平面照度が５ｌｘ程度となるようにしている。
【００３６】
スイッチ８７は、リモコン送信器Ｒの信号が送出可能な範囲内に複数の照明装置１００が設置された場合に、リモコン送信器Ｒの操作により、複数の照明装置１００が同時に操作されることを防止するために、リモコン送信器Ｒから送出された信号を識別可能にするためのスイッチである。
【００３７】
充電モニタ８８は、例えば、緑色発光のＬＥＤが用いられており、後述のバッテリ１３ａの充電制御状態を表示するようになっている。
【００３８】
なお、常夜灯８５、保安灯８６や充電モニタ８８としては、小形のランプを用いるようにしてもよいし、有機ＥＬを用いても良い。
【００３９】
筐体内には、図示しないユニット基板が取付けられており、この筐体の表面側には図示しない透光性のケースカバーが取付けられている。筐体には、第１受信部８１、第２受信部８４、常夜灯８５、保安灯８６および充電モニタ８８にそれぞれ対向する位置に、開口部８１ａ、開口部８４ａ、開口部８５ａ、開口部８６ａおよび充電モニタ８８が設けられている。
【００４０】
この補助部品ユニット８は、照明装置１００、すなわち、器具本体１の外周縁部、具体的には、本体枠９の外周縁部に配設される。したがって、導光板７の発光領域の外側に配設されるようになっている。このように構成された補助部品ユニット８は、複数の電気的補助部品が集中化して設けられていて、本体枠９に取付けられるようになっている。
【００４１】
図２および図４に示すように、本体枠９は、ＡＢＳ樹脂やポリカーボネート等の合成樹脂から作られていて、略正方形状であって前記導光板７の寸法より大きな枠状に形成されており、側壁９１と、この側壁９１の下端部から内側に向かって斜め下方に延出し、さらに内側に向かって斜めに立ち上がる傾斜状部を有する底壁９２とを備えている。また、底壁９２には、複数のボス９３が立設されており、このボス９３には、サポートシャーシ３の取付片３２がねじ止めされるようになっている。
【００４２】
カバー部材１０は、図２及び図４の参照を加えて示すように、アクリル樹脂やポリカーボネート等の透光性を有する合成樹脂材料から略正方形状で前面側が凸となるように形成されている。また、前面側の表面には、拡散性の機能を果たす多数の凹凸が形成されている。このカバー部材１０は、前記アダプタガイド５に取付けられていて、前記係合口５１に対向して係合口５１を開閉可能に覆うようになっており、さらに、取外し可能になっている。
【００４３】
続いて、アダプタＡは、図２および図４に示すように、天井面Ｃに設置された配線器具Ｃｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記電源ユニット２へ接続する図示しない電源コードが導出されていて、電源ユニット２とコネクタを介して接続されるようになっている。
【００４４】
リモコン送信器Ｒは、例えば、周波数３８ｋＨｚのパルス状の特定のコード化された赤外線リモコン制御信号を送信するもので、例えば、全光点灯ボタン、調光点灯ボタン、常夜灯ボタンや消灯ボタン等が設けられている。このリモコン送信器Ｒを補助部品ユニット８、すなわち、第１受信部または第２受信部に向けて操作することによって光源部６における発光素子６１の発光状態、つまり、全光点灯、調光点灯、消灯等の制御、並びに補助部品ユニット８の常夜灯８５および保安灯８６の全光点灯、調光点灯、消灯等を行う。また、光源部６が複数の色温度の発光素子６１を有する場合には、リモコン送信器Ｒにより調色制御が可能となるようにしてもよい。
【００４５】
次に、上記のように構成された照明装置１００の天井面Ｃへの取付状態について、図４を参照して説明する。なお、図においてアダプタＡから導出される電源コードの図示は省略している。
【００４６】
図４に示すように、天井面Ｃに配線器具Ｃｂが設置されている。また、この配線器具Ｃｂには、アダプタＡが電気的かつ機械的に接続されている。この状態からカバー部材１０を開き又は取外して係合口５１を開放状態として図示矢印で示すように、器具本体１におけるアダプタガイド５の係合口５１をアダプタＡに合わせながら、アダプタＡの係止部Ａ1がアダプタガイド５の係合口５１に確実に係合するまで器具本体１を下方から手で押し上げて取付け操作を行い、カバー部材１０で係合口５１を覆い閉塞状態とする。
【００４７】
これにより、器具本体１の取付状態では、アダプタＡがセンターシャーシ４の開口４２を挿通し、アダプタＡの係止部Ａ1がアダプタガイド５の係合口５１に係止されて取付状態が保持される。
【００４８】
また、器具本体１を取外す場合には、カバー部材１０を開き又は取外し、アダプタＡに設けられているレバーを操作してアダプタＡの係止部Ａ1の係合を解くことにより取外すことができる。
【００４９】
照明装置１００の取付状態において、電源ユニット２に電力が供給されると、基板６２を介して発光素子６１に通電され、各発光素子６１が点灯する。発光素子６１から出射された光は、導光板７の光入射端面７２へ入射し、この入射した光は、導光板７内で全反射して導光板７全体に広がるとともに、背面側に形成された反射ドットからなるドットパターンによって拡散反射され、さらに前面側の拡散シートによって拡散されて均質化された光が前面側から放射される。また、導光板７から漏れた一部の光は、反射シートによって反射され前面側に放射されて再利用されるようになる。
【００５０】
また、カバー部材１０は、透光性を有しているので、導光板７から漏れた光を透過させ
ることができ、暗さ感を抑制できる。
【００５１】
さらに、各発光素子６１から発生する熱は、基板６２裏面側から取付板６３に伝導され、サポートシャーシ３に伝導され、サポートシャーシ３の広い面積で効果的に放熱される。
【００５２】
次に、照明装置１００の回路構成および動作について説明する。
【００５３】
本発明の実施例１の照明装置１００の回路構成について図面を参照して説明する。図５は実施例１の照明装置１００の回路構成を示す構成図である。また、同一部分には同一符号を付し、重複した説明は省略する。
【００５４】
図４に示すように、照明装置１００は、外部電源としての商用交流電源に器具取付面Ｃに取り付けられた配線器具Ｃｂを介して接続される。照明装置１００のアダプタＡが配線器具Ｃｂに接続され、照明装置１００は外部電源による電力供給を受ける。
【００５５】
アダプタＡには、電源ユニット２が接続されており、電源ユニット２には光源部６と補助部品ユニット８が接続されている。そして、光源部６は光源点灯制御回路１１を介して直列に接続される。また、アダプタＡには、充電制御回路１３が電源供給検出回路１２を介して直列に接続される。光源点灯制御回路１１および電供給検出回路１２は、アダプタＡに対して、それぞれ並列に接続されている。光源点灯制御回路１１は、調光制御回路１１ａを有している。
【００５６】
充電制御回路１３には、補助光源としての保安灯８６が補助光源点灯制御回路８６ｂを介して直列に接続されている。また、充電制御回路１３には、バッテリ１３ａおよび充電モニタ８８がそれぞれ直列に接続されている。バッテリ１３ａ、補助光源点灯制御回路８６ｂおよび充電モニタ８８は、充電制御回路１３に対して、それぞれ並列に接続されている。
【００５７】
充電制御回路１３と補助光源点灯制御回路８６ｂとの間には、第１受信部制御回路８１ｂが並列に設けられる。第１受信部８１は、第１受信部制御回路８１ｂに直列に接続される。
【００５８】
アダプタＡと光源点灯制御回路１１との間には、第２受信部制御回路８４ｂおよび第２補助光源としての常夜灯８５を点灯制御する常夜灯点灯制御回路８５ｂがそれぞれ並列に接続される。第２受信部制御回路８４ｂおよび常夜灯点灯制御回路８５ｂには、それぞれ第２受信部８４および常夜灯８５が直列に接続される。
【００５９】
また、補助部品ユニット８において、第１受信部８１、第２受信部８４、常夜灯８５、保安灯８６および充電モニタ８８は同一の基板に実装されている。第２受信部８４および常夜灯８５は、図示しない第１コネクタにより、電源ユニット２と電気的に接続されている。また、第１受信部８１、保安灯８６および充電モニタ８８は、図示しない第２コネクタにより電源ユニット２に電気的に接続されている。
【００６０】
補助部品ユニット８において、常夜灯８５のＬＥＤの色温度は２５００〜３０００Ｋ程度とし、保安灯８６のＬＥＤの色温度は６５００〜７０００Ｋ程度としている。すなわち、常夜灯８５のＬＥＤの色温度より保安灯８６のＬＥＤの色温度が大きくなるようにしている。
【００６１】
光源部６を点灯制御するための光源点灯回路１１、第２受信部制御回路８４ｂおよび常夜灯点灯制御回路８５ｂ、並びに、保安灯８６を点灯制御するための電源供給検出回路１２、充電制御回路１３、バッテリ１３ａ、第１受信部制御回路８１ｂおよび補助光源点灯制御回路８６ｂは同一の基板上に設けられていてもよいし、別個の基板に設けられていても構わない。また、電源ユニット２の光源部６を点灯制御するための光源点灯回路１１、第２受信部制御回路８４ｂおよび常夜灯点灯制御回路８５ｂ、並びに、保安灯８６を点灯制御するための電源供給検出回路１２、充電制御回路１３、バッテリ１３ａ、第１受信部制御回路８１ｂおよび補助光源点灯制御回路８６ｂは、図２に示すようなケース部材２１とは異なり別個の筐体に設けられていてもよい。
【００６２】
照明装置１００の動作について図１ないし図５を参照して説明する。
【００６３】
外部電源が照明装置１００に供給されている状態、すなわち、外部電源が照明装置１００に電力を供給し、かつ、壁スイッチ等の電源スイッチＳＷが通電している状態（以下、外部電源供給状態、という。）での照明装置１００の動作について説明する。
【００６４】
外部電源供給状態において、照明装置１００の光源点灯制御回路１１、第２受信部制御回路８４ｂおよび常夜灯点灯制御回路８５ｂに電力が供給される。第２受信部制御回路８４ｂに電力が供給されると、第２受信部制御回路８４ｂは第２受信部８４に電力を供給する。第２受信部８４は第２受信部制御回路８４ｂからの電力供給により、リモコン送信器Ｒからの信号を受信可能な状態となる。
【００６５】
外部電源供給状態において、リモコン送信器Ｒから、例えば、全光点灯信号が送出され、第２受信部８４が全光点灯信号を受信すると、第２受信部は全光点灯信号に基づく信号を第２受信部制御回路８４ｂに送出する。第２受信部制御回路８４ｂは、全光点灯信号に基づく信号を受信すると、光源点灯制御回路１１が光源部６を全光点灯、すなわち光源部６が最大照度を出力する制御を行うように光源点灯制御回路１１に指示する。リモコン送信器Ｒから光源消灯信号および調光制御信号が送出された場合には、同様の動作により、光源点灯制御回路１１は光源部６をそれぞれ消灯および調光制御する。
【００６６】
外部電源供給状態においては、照明装置１００の常夜灯８５においても光源部６の点灯制御と同様の点灯制御がリモコン送信器Ｒにより可能である。リモコン送信器Ｒから、例えば、常夜灯点灯信号が送出され、第２受信部８４が常夜灯点灯信号を受信すると、第２受信部は常夜灯点灯信号に基づく信号を第２受信部制御回路８４ｂに送出する。第２受信部制御回路８４ｂは、常夜灯点灯信号に基づく信号を受信すると、常夜灯点灯制御回路８５ｂが常夜灯８５を点灯する制御を行うように常夜灯点灯制御回路８５ｂに指示する。リモコン送信器Ｒから常夜灯消灯信号および常夜灯調光信号が送出された場合には、同様の動作により、常夜灯点灯制御回路８５ｂは常夜灯８５をそれぞれ消灯および調光制御する。なお、常夜灯８５を調光制御する場合には、常夜灯点灯制御回路８５ｂに図示しない常夜灯調光制御回路が設けられる。
【００６７】
一方で、外部電源供給状態において、電源供給検出回路１２は外部電源の供給状態を検出し、充電制御回路１３に外部電源から供給される電力によりバッテリ１３ａを充電するように指示する（第１ステップ）。充電制御回路１３は、後述する充電制御回路１３の充電制御状態に応じて、充電モニタ８８の点灯状態を制御する（第２ステップ）。なお、第１ステップと第２ステップとは制御の順序を問わないものである。
【００６８】
外部電源供給状態において、充電制御回路１３はバッテリ１３ａの充電制御を行うのみであり、補助光源点灯制御手段８６ｂおよび第１受信部制御回路８１ｂに外部電源およびバッテリ１３ａから電力を供給しない。よって、外部電源供給状態において、第１受信部８１はリモコン送信器Ｒから送出される信号を受信可能な状態とはならないし、保安灯８６も点灯制御可能な状態とはならない。
【００６９】
次に、外部電源が電力供給を停止している状態、または、外部電源が電力を供給しているが壁スイッチ等の電源スイッチＳＷが開放している状態（以下、電源供給停止状態、という。）での照明装置１００の動作について説明する。
【００７０】
電源供給停止状態において、第２受信部制御回路８４ｂへの電力供給が停止されるため、第２受信部８４は、リモコン送信器Ｒから送出される信号を受信不可能な状態となる。よって、電源供給停止状態において、光源部６および常夜灯８５を点灯制御することはできない状態になる。電源供給停止状態前において、光源部６が全光点灯または調光制御されていた場合、もしくは常夜灯８５が点灯または調光制御されていた場合、光源部６および常夜灯８５は消灯する。
【００７１】
一方、電源供給検出回路１２は、電源供給停止状態を検出すると、充電制御回路１３にバッテリ１３ａに蓄えられた電力を補助光源点灯制御回路８６ｂおよび第１受信部制御回路８１ｂに供給するように指示する（第３ステップ）。充電制御回路１３は、充電制御の終了、すなわち放電制御の開始に伴い、充電モニタ８８を点灯制御する（第４ステップ）。電源供給停止状態において、充電モニタ８８はバッテリ１３ａの消費電力を低減するために、充電制御回路１３により消灯させられることが望ましい。一方、第１受信部制御回路８１ｂはバッテリ１３ａから電力が供給されることにより、第１受信部８１はリモコン送信器Ｒから送出される信号を受信可能な状態になる（第５ステップ）。補助光源点灯制御回路８６ｂはバッテリ１３ａから電力が供給されることにより、保安灯８６を点灯させる（第６ステップ）。なお、第３ステップないし第６ステップは制御の順序を問わないものである。
【００７２】
電源供給停止状態において、第１受信部８１はリモコン送信器Ｒから送出される信号を受信可能な状態となるので、リモコン送信器Ｒから、例えば光源消灯信号または常夜灯消灯信号が送出され、第１受信部８１が光源消灯信号または常夜灯消灯信号を受信すると、第１受信部８１は光源消灯信号または常夜灯消灯信号に基づく信号を第１受信部制御回路８１ｂに送出する。第１受信部制御回路８１ｂは、光源消灯信号または常夜灯消灯信号に基づく信号を受信すると、補助光源点灯制御回路８６ｂが保安灯８６を消灯する制御を行うように補助光源点灯制御回路８６ｂに指示する。
【００７３】
電源供給停止状態において、リモコン送信器Ｒから、例えば全光点灯信号または常夜灯点灯信号が送出され、第１受信部８１が全光点灯信号または常夜灯点灯信号を受信すると、同様の動作により、補助光源点灯制御回路８６ｂは保安灯８６を点灯する。
【００７４】
電源供給停止状態において、リモコン送信器Ｒから、例えば調光制御信号または常夜灯調光信号が送出され、第１受信部８１が調光制御信号または常夜灯調光信号を受信すると、同様の動作により、補助光源点灯制御回路８６ｂは保安灯８６を調光制御する。なお、保安灯８６を調光制御する場合には、補助光源点灯制御回路８６ｂに図示しない補助光源調光制御回路が設けられる。
【００７５】
電源供給停止状態から外部電源供給状態に移行した状態（以下、電源供給復帰状態）の照明装置１００の動作について説明する。
【００７６】
電源供給復帰状態において、第２受信部制御回路８４ｂへの電力供給が再開されるので、第２受信部がリモコン送信器Ｒから送出される信号を受信可能な状態に復帰する（第７ステップ）。第７ステップ以降の動作は、外部電源供給状態と同様である。
【００７７】
電源供給復帰状態において、電源供給検出回路１２は外部電源からの電力供給の再開を検出する（第８ステップ）。電源供給検出回路１２が外部電源からの電力供給の再開を検出すると、充電制御回路１３はバッテリ１３ａから補助光源点灯制御回路８６ｂへの電力供給を停止し、保安灯８６は消灯する（第９ステップ）。また、電源供給検出回路１２が外部電源からの電力供給の再開を検出すると、充電制御回路１３はバッテリ１３ａから第１受信部制御回路８１ｂへの電力供給を停止し、第１受信部８１はリモコン送信器Ｒから送出される信号を受信できない状態となる（第１０ステップ）。電源供給検出回路１２が外部電源からの電力供給の再開を検出すると、充電制御回路１３はバッテリ１３ａへの充電制御を再開する（第１１ステップ）。充電制御回路１３はバッテリ１３ａへの充電制御の再開に伴い、充電制御回路１３の充電制御に応じた点灯状態に充電モニタ８８を制御する（第１２ステップ）。なお、第７ステップないし第１２ステップは制御の順序を問わないものである。
実施例１の効果について説明する。
【００７８】
実施例１の照明装置１００は、電源供給停止状態において、バッテリ１３ａからの電力供給によりリモコン送信器Ｒから送出される信号を受信可能な状態にすることができる第１受信部を有しているので、保安灯８６をリモコン送信器Ｒにより点灯制御することができ、外部電源と照明装置１００との間に設けられた電源スイッチＳＷ、例えば壁スイッチが開放されて保安灯８６が点灯した場合でもリモコン送信器Ｒから、例えば光源消灯信号、常夜灯消灯信号を送出することにより、保安灯８６を消灯することができる。
【００７９】
実施例１の照明装置１００は、電源供給停止状態において、バッテリ１３ａからの電力供給によりリモコン送信器Ｒから送出される信号を受信可能な状態にすることができる第１受信部を有しているので、保安灯８６をリモコン送信器Ｒにより点灯制御することができ、外部電源が電力供給を停止している状態が起こったのが昼間等、照明空間の照度が他の要因により確保されている場合でもリモコン送信器Ｒから、例えば光源消灯信号、常夜灯消灯信号等を送出することにより、保安灯８６を消灯することができる。
【００８０】
実施例１の照明装置１００は、電源供給停止状態において、バッテリ１３ａからの電力供給によりリモコン送信器Ｒから送出される信号を受信可能な状態にすることができる第１受信部を有しているので、保安灯８６をリモコン送信器Ｒにより点灯制御することができ、保安灯８６を一旦消灯した場合でもリモコン送信器Ｒから、例えば全光点灯信号、常夜灯点灯信号等を送出することにより、保安灯８６を点灯することができる。
【００８１】
実施例１の照明装置１００は、電源供給復帰状態において、電源供給検出回路１２を有していることによって、外部電源から照明装置１００への電力供給再開を検出することができ、電力供給再開に伴う保安灯８６の消灯、第１受信部８１への電力供給停止（第１受信部８１がリモコン送信器Ｒから送出される信号を受信不可能な状態にすること）、および充電制御回路１３によるバッテリ１３ａへの充電制御再開を照明装置１００の使用者が特別な操作をすることなく自動的に行うことができる。
【００８２】
また、実施例１の照明装置１００は、電源供給復帰状態において、電源供給検出回路１２を有していることによって、外部電源から照明装置１００への電力供給再開を検出することができるので、バッテリ１３ａの放電を最小限にするとともに、バッテリ１３ａの劣化を抑制することができる。さらに、電力供給再開後、速やかにバッテリ１３ａへの充電制御を再開することができるので、バッテリ１３ａの許容される最大の充電容量までバッテリ１３ａが充電されるまでの時間を短縮することができる。
【００８３】
実施例１の照明装置１００において、電源ユニット２は、保安灯８６を点灯制御するための電源供給検出回路１２、充電制御回路１３、バッテリ１３ａ、第１受信部制御回路８１ｂおよび補助光源点灯制御回路８６ｂが、光源部６を点灯制御するための光源点灯回路１１、第２受信部制御回路８４ｂおよび常夜灯点灯制御回路８５ｂとは別個に配置されていることによって、既存の光源部６を点灯制御するための光源点灯回路１１、第２受信部制御回路８４ｂおよび常夜灯点灯制御回路８５ｂに補助部品ユニット８の構成を追加するだけで、保安灯８６を点灯制御するための機能を付加することができる。また、電源ユニット２や光源部６の仕様が異なる照明装置同士で保安灯８６を点灯制御するための電源供給検出回路１２、充電制御回路１３、バッテリ１３ａ、第１受信部制御回路８１ｂおよび補助光源点灯制御回路８６ｂを共通化できる。
【００８４】
実施例１の照明装置１００は、外部電源供給状態においてリモコン送信器Ｒからの信号を受信可能な状態となる第２受信部８４、およびバッテリ１３ａから電力が供給されることによりリモコン送信器Ｒから送出される信号を受信可能な状態になる第１受信部８１を有していることによって、リモコン送信器Ｒから送出される信号を変更することなく、一つのリモコン送信器Ｒによって外部電源供給または停止状態において光源部６および常夜灯８５または保安灯８６を点灯制御することができる。
【００８５】
実施例１の照明装置１００の補助部品ユニット８は、保安灯８６の照度を常夜灯８５の照度より大きくしていることによって、照明装置１００の常夜灯８５が外部電源供給により点灯制御されているのか、保安灯８６が外部電源の供給停止に伴い、バッテリ１３ａの電源供給により点灯制御されているのか判断が容易になるので、照明装置１００の使用者が所望の操作を行いやすくすることができる。
【００８６】
実施例１の照明装置１００の補助部品ユニット８は、保安灯８６の色温度を常夜灯８５の色温度より大きくしていることによって、照明装置１００の常夜灯８５が外部電源供給により点灯制御されているのか、保安灯８６が外部電源の供給停止に伴い、バッテリ１３ａの電源供給により点灯制御されているのか判断が容易になるので、照明装置１００の使用者が所望の操作を行いやすくすることができる。
【００８７】
実施例１の照明装置１００の補助部品ユニット８は、保安灯８６の色温度を常夜灯８５の色温度より大きくしていることによって、照明装置１００の使用者には色温度の高い光源の方がより明るく感じるので、より効率的にバッテリ１３ａの電力を使用することができる。
【００８８】
実施例１の照明装置１００の保安灯８６は、補助光源調光制御回路を有しているので、電源供給停止状態において保安灯８６の調光制御を行うことができるので、保安灯８６の照度を小さくすれば、バッテリ１３ａの消費電力を低減し、保安灯８６の点灯時間をより長くすることができる。また、照明装置１００の使用者が使用状態に応じて保安灯８６を調光制御できるので、使用者の自由度が増加する。
実施例１の変形例を以下に述べる。
【００８９】
実施例１の照明装置１００は、図示しない補助光源調光制御回路により電源供給停止状態において、補助光源としての保安灯８６の点灯時間に応じて保安灯８６の照度を変化させてもよい。例えば、保安灯８６の点灯から３０分経過するごとに照度を２０ｌｍずつ低下させることができる。なお、光源点灯制御回路１１には保安灯８６の点灯時間を計時する計時回路が設けられてもよい。
【００９０】
実施例１の変形例の照明装置１００は、光源点灯制御回路１１に補助光源調光制御回路を有していることによって、補助光源としての保安灯８６の点灯時間に応じて保安灯８６の照度を変化させることができるので、電源供給停止状態において、バッテリ１３ａの消費電力を低減することにより、保安灯８６の点灯時間をより長くすることができる。また、保安灯８６の点灯時間に応じて保安灯８６の照度が変化することにより、照明装置１００の使用者にバッテリ１３ａに蓄えられた電力量が減少していることを報知することができる。
【実施例２】
【００９１】
本発明の実施例２の照明装置１０１について図面を参照して説明する。また、同一部分には同一符号を付し、重複した説明は省略する。照明装置１０１の回路構成および動作について説明する。図６は実施例２の照明装置１０１の回路構成を示す構成図である。
【００９２】
本発明の実施例２の照明装置１０１の回路構成について図６を参照して説明する。
【００９３】
アダプタＡおよび充電制御回路１３の間に直列に第１電源供給検出回路１２ａが接続される。また、アダプタＡおよび光源点灯制御回路１１の間に直列に第２電源供給検出回路１２ｂが接続される。その他の回路構成は、実施例１の照明装置１００と同様である。
【００９４】
照明装置１００の動作について図１ないし図６を参照して説明する。
【００９５】
電源供給停止状態における照明装置１０１の動作について説明する。第１電源供給検出回路１２ａおよび第２電源供給検出回路１２ｂは、閾値として所定時間、例えば１．５秒を有している。
【００９６】
第１電源供給検出回路１２ａは電源供給停止状態が所定時間の１．５秒より長い場合には、電源供給停止状態を検出すると、充電制御回路１３にバッテリ１３ａに蓄えられた電力を補助光源点灯制御回路８６ｂおよび第１受信部制御回路８１ｂに供給するように指示する（第１３ステップ）。充電制御回路１３は、充電制御の終了、すなわち放電制御の開始に伴い、充電モニタ８８を点灯制御する（第１４ステップ）。電源供給停止状態において、充電モニタ８８はバッテリ１３ａの消費電力を低減するために、充電制御回路１３により消灯させられることが望ましい。第１受信部制御回路８１ｂはバッテリ１３ａから電力が供給されることにより、第１受信部８１はリモコン送信器Ｒから送出される信号を受信可能な状態になる（第１５ステップ）。補助光源点灯制御回路８６ｂはバッテリ１３ａから電力が供給されることにより、保安灯８６を点灯させる（第１６ステップ）。なお、第１３ステップないし第１６ステップは制御の順序を問わないものである。一方で、電源供給停止状態が所定時間の１．５秒以下の場合には、第１３ステップないし第１６ステップの動作を実施しない。
【００９７】
電源供給停止状態が所定時間の１．５秒より長い場合には、第２電源供給検出回路１２ｂおよび第２受信部制御回路８４ｂへの電力供給が停止されるため、第２受信部８４は、リモコン送信器Ｒから送出される信号を受信不可能な状態となる。よって、電源供給停止状態において、光源部６および常夜灯８５を点灯制御することはできない状態になる。電源供給停止状態前において、光源部６が全光点灯または調光制御されていた場合、もしくは常夜灯８５が点灯または調光制御されていた場合、光源部６および常夜灯８５は消灯する。
【００９８】
電源供給停止状態が所定時間の１．５秒以下であって、１．５秒以下経過時間で電源供給停止状態から電源供給復帰状態に移行した場合には、第２電源供給検出回路１２ｂは、光源点灯制御回路１１、調光制御回路１１ａまたは常夜灯点灯制御回路８５ｂに電源供給停止前とは異なる光源部６または常夜灯８６の点灯制御状態で光源部６または常夜灯８６を点灯制御するように指示する。例えば、電源供給停止前に光源部６が全光点灯していた場合には、第２電源供給検出回路１２ｂは、所定時間以下の電源供給停止状態から電源供給復帰状態への移行に伴い、光源点灯制御回路１１および調光制御回路１１ａに対して、光源部６を所定の調光状態で点灯制御するように指示する（第２１ステップ）。また、例えば、電源供給停止前に光源部６が所定の調光状態で点灯制御されていた場合には、第２電源供給検出回路１２ｂは、所定時間以下の電源供給停止状態から電源供給復帰状態への移行に伴い、常夜灯点灯制御回路８５ｂに対して、常夜灯８５を所定の調光状態または全光点灯状態で点灯制御するように指示する（第２２ステップ）。さらに、例えば、電源供給停止前に常夜灯８５が所定の調光状態または全光点灯状態で点灯制御されていた場合には、第２電源供給検出回路１２ｂは、所定時間以下の電源供給停止状態から電源供給復帰状態への移行に伴い、常夜灯点灯制御回路８５ｂに対して、常夜灯８５を消灯状態で点灯制御するように指示する（第２３ステップ）。第２１ステップないし第２３ステップは制御の順序を問わないものである。また、第２１ステップにおいては逆方向の制御を含むものである。すなわち、電源供給停止前に光源部６が所定の調光状態で点灯制御していた場合には、第２電源供給検出回路１２ｂは、所定時間以下の電源供給停止状態から電源供給復帰状態への移行に伴い、光源点灯制御回路１１および調光制御回路１１ａに対して、光源部６を所定の全光点灯状態で点灯制御するように指示することを含むものである。なお、第２２ステップおよび第２３ステップについても同様である。
実施例２の効果について説明する。
【００９９】
実施例２の照明装置１０１は、第１電源供給検出回路１２ａおよび第２電源供給検出回路１２ｂを有しているので、電源供給停止状態が所定時間より長い場合に第１電源供給検出回路１２ａは、保安灯８６の点灯制御を開始する等の動作を行い、所定時間以下の電源供給停止状態から電源供給復帰状態に移行した場合には第２電源供給検出回路１２ｂは、光源部６または常夜灯８５の点灯制御を行うので、壁スイッチ等の電源スイッチにより光源部６または常夜灯８５の点灯制御を行う場合でも、保安灯８６が点灯制御されることがない。よって、不所望なバッテリ１３ａの放電および充電を防止し、バッテリ１３ａの劣化を抑制することができる。また、壁スイッチ等の電源スイッチにより光源部６または常夜灯８５の点灯制御を行う場合における点灯制御の途中に保安灯８６が不用意に点灯、消灯を繰り返すことがない。
【実施例３】
【０１００】
本発明の実施例３の充電制御装置１３０および照明装置１０２について図面を参照して説明する。また、同一部分には同一符号を付し、重複した説明は省略する。充電制御装置１３０の回路構成および動作について説明する。図７は実施例３の充電制御装置１３０の回路構成を示す構成図である。
【０１０１】
本発明の実施例３の充電制御装置１３０の回路構成について図７を参照して説明する。
【０１０２】
第１充電電流値によりバッテリを充電する第１充電制御回路１３ｂおよび第１充電電流値より大きい第２充電電流値によりバッテリを充電する第２充電制御回路１３ｃは、外部電源に対して並列に接続され、第１充電制御回路１３ｂおよび第２充電制御回路１３ｃは、それぞれバッテリ１３ａに対して直列に接続されている。また、第１充電制御検出回路１３ｅは、第１充電制御回路１３ｂとバッテリ１３ａとの間に直列に接続されている。バッテリ１３ａと負荷は放電時間検出回路１３ｄを介して直列に接続されている。
【０１０３】
充電制御装置１３０の動作について説明する。
【０１０４】
外部電源供給状態において、バッテリ１３ａは第１充電制御回路１３ｂにより充電制御されている。第１充電制御回路１３ｂは、第１充電電流値、例えば電池容量をＣ［ｍＡｈ］とするとき、１時間あたり１／１００Ｃ程度の電流値で充電される。第１充電電流値は、バッテリ１３ａの自己放電を補う程度のものであり、バッテリ１３ａの充電容量Ｃが７００［ｍＡｈ］の場合、第１充電電流値は７［ｍＡ］程度となる。バッテリ１３ａが第１充電制御回路１３ｂにより充電制御されるときは、充電制御装置１３０の待機電力を低減させる観点から、第１充電電流値はできる限り小さいことが望ましい。
【０１０５】
第１充電制御回路１３ｂによるバッテリ１３ａへの充電制御時間は、第１充電制御検出回路ｅにより計時される。充電制御時間が第１所定時間以上となったとき、第１充電制御検出回路ｅは、後述する第２充電制御回路１３ｃによるバッテリ１３ａの充電制御を第３所定時間行うように指示する。本実施例において、第１所定時間は１週間程度であり、第３所定時間は６時間程度である。バッテリ１３ａから負荷への放電がなくとも自己放電によりバッテリ１３ａに蓄えられる電力は徐々に低下するため、第１充電制御回路１３ｂによるバッテリ１３ａへの充電制御が１週間程度継続した場合には、第２充電制御回路１３ｃによるバッテリ１３ａの充電制御により、バッテリ１３ａに蓄えられた電力量を最大化させる。すなわち、第１所定時間は、第１充電制御回路１３ｂによるバッテリ１３ａへの充電制御を継続したとしても、バッテリ１３ａから負荷への電力供給に支障が生じる程度までバッテリ１３ａに蓄えられた電力量が低下する時間に基づいて定められる。また、第３所定時間は、バッテリ１３ａから負荷への放電がなくとも第１所定時間において自己放電によりバッテリ１３ａから減少した電力量をバッテリ１３ａに蓄えることができる最大の電力量まで回復させるための時間に基づいて定められる。
【０１０６】
電源供給停止状態において、バッテリ１３ａから負荷への放電が行われる。バッテリ１３ａから負荷への放電の際には、放電時間検出回路１３ｄが放電時間を計時する。放電時間が連続して第２所定時間以上となった場合、または放電時間が累積して第２所定時間以上となった場合に、放電時間検出回路１３ｄは、後述する第２充電制御回路１３ｃによるバッテリ１３ａの充電制御を第３所定時間行うように指示する。本実施例において、第２所定時間は１０分程度である。第２所定時間は、バッテリ１３ａの充電容量Ｃと負荷の消費電力量に基づいて定められる。放電時間検出回路１３ｄにより放電時間が第２所定時間以上となった場合は、直ちに第２充電制御回路１３ｃによるバッテリ１３ａの充電制御を行っても良いし、バッテリ１３ａから負荷への放電を中止して一定時間の経過の後に第２充電制御回路１３ｃによるバッテリ１３ａの充電制御を開始しても良い。
【０１０７】
第２充電制御回路１３ｃによるバッテリ１３ａの充電制御は、第２充電電流値、例えば１時間あたり１／５Ｃ程度の電流値で充電される。バッテリ１３ａの充電容量Ｃが７００［ｍＡｈ］の場合、第２充電電流値は１２０〜１４０［ｍＡ］程度となる。第２充電制御回路１３ｃによるバッテリ１３ａの充電制御は、第１所定時間内のバッテリ１３ａの自己放電を補うために、または放電によるバッテリ１３ａに蓄えられた電力量の減少を補うために、バッテリ１３ａに蓄えられた電力量をバッテリ１３ａに蓄えることができる最大の電力量まで回復させるためのものである。
【０１０８】
第２充電制御回路１３ｃによるバッテリ１３ａの充電制御が行われると、放電時間検出回路１３ｄおよび第１充電制御検出回路ｅにおいて、計時されていた時間の情報はすべて消去され、第２充電制御回路１３ｃによるバッテリ１３ａの充電制御の終了後に再度計時が開始される。
【０１０９】
放電時間検出回路１３ｄによる第２充電制御回路１３ｃへの指示および第１充電制御検出回路ｅによる第２充電制御回路１３ｃへの指示は、それぞれ独立して行われる。すなわち、放電時間検出回路１３ｄおよび第１充電制御検出回路ｅにおいて計時している時間が、それぞれ第２所定時間および第１所定時間となった場合に、他方の計時時間とは無関係に第２充電制御回路１３ｃによるバッテリ１３ａの充電制御が行われる。
【０１１０】
実施例３の照明装置１０２の回路構成および動作について図面を参照して説明する。図８は実施例３の照明装置１０２の回路構成を示す構成図である。実施例３の照明装置１０２の回路構成を図８を参照して説明する。
【０１１１】
照明装置１０２は、実施例１の照明装置１００の充電制御回路１３に換えて、充電制御装置１３０を有している。その他の構成は照明装置１００と同様であり、照明装置１０２は、充電制御装置１３０の動作に加えて、照明装置１００と同様の動作を行うことができる。
【０１１２】
充電制御装置１３０は、第１充電制御回路１３ｂによるバッテリ１３ａへの充電制御および第２充電制御回路１３ｃによるバッテリ１３ａの充電制御状態により、充電制御装置１３０に接続された充電モニタ８８の点灯制御状態を可変することができる。例えば、第２充電制御回路１３ｃによるバッテリ１３ａの充電制御の際は、充電モニタ８８を点灯制御させ、第１充電制御回路１３ｂによるバッテリ１３ａへの充電制御の際は充電モニタ８８を消灯することが望ましい。これは、第２充電制御回路１３ｃによるバッテリ１３ａの充電制御の時間よりも第１充電制御回路１３ｂによるバッテリ１３ａへの充電制御の時間の方が長いため、第１充電制御回路１３ｂによるバッテリ１３ａへの充電制御において充電モニタ８８を点灯制御させると照明装置１０２の消費電力が増加するためである。
実施例３の効果について説明する。
【０１１３】
実施例３の充電制御装置１３０および照明装置１０２は、第１充電制御回路１３ｂ、第２充電制御回路１３ｃ、放電時間検出回路１３ｄおよび第１充電制御検出回路１３ｅを有しているので、第１充電制御検出回路が計時する充電時間が第１所定時間以上、または放電時間検出回路が計時する放電時間が第２所定時間以上の場合に第２充電制御回路によりバッテリを充電することができるので、不所望に大電流による充電制御が行われることがなく、外部電源供給状態において待機電力を低減することができる。また、バッテリ１３ａに蓄えられた電力が減少した場合には、第２充電制御回路１３ｃによるバッテリ１３ａの充電制御を行うので、バッテリ１３ａに蓄えられた電力量をバッテリ１３ａに蓄えることができる最大の電力量まで回復させる時間を短縮することができ、電源供給停止状態における負荷への電力供給の信頼性を高めることができる。
【０１１４】
実施例３の充電制御装置１３０および照明装置１０２は、第２充電制御回路１３ｃによるバッテリ１３ａの充電制御の際は、充電モニタ８８を点灯制御させ、第１充電制御回路１３ｂによるバッテリ１３ａへの充電制御の際は充電モニタ８８を消灯するので、第２充電制御回路１３ｃによるバッテリ１３ａの充電制御の時間よりも長い時間行われる第１充電制御回路１３ｂによるバッテリ１３ａへの充電制御において充電モニタ８８の点灯制御による充電制御装置１３０および照明装置１０２の消費電力の増加を抑制することができる。
実施例３の変形例を以下に述べる。
【０１１５】
実施例３の充電制御装置１３０および照明装置１０２は、第１充電制御検出回路１３ｅにより第１充電制御回路１３ｂによるバッテリ１３ａへの充電制御の時間を計時し、第１充電制御検出回路１３ｅにより計時された時間が第４所定時間以上となった場合には、充電モニタ８８を点灯制御することにより、バッテリ１３ａの交換時期を充電制御装置１３０および照明装置１０２の使用者に報知してもよい。バッテリ１３ａの交換時期を充電モニタ８８により報知する場合には、第１充電制御回路１３ｂによるバッテリ１３ａへの充電制御状態および第２充電制御回路１３ｃによるバッテリ１３ａの充電制御状態とは異なることが望ましい。すなわち、第２充電制御回路１３ｃによるバッテリ１３ａの充電制御状態を充電モニタ８８を点灯することにより報知し、第１充電制御回路１３ｂによるバッテリ１３ａへの充電制御状態を充電モニタ８８を消灯することにより報知し、バッテリ１３ａの交換時期を報知する場合には充電モニタ８８を点滅させることが望ましい。充電モニタ８８の点灯状態を異ならせることでバッテリ１３ａの交換時期を充電制御装置１３０および照明装置１０２の使用者により確実に報知し、バッテリ１３ａの交換を促すことができる。バッテリ１３ａの交換時期の充電モニタ８８の点灯制御による報知は、リモコン送信器Ｒにより停止することができるようにしてもよいし、所定時間後に自動的に消灯されるようにしてもよい。
【０１１６】
バッテリ１３ａの交換後は、第１充電制御検出回路１３ｅの第１充電制御回路１３ｂによるバッテリ１３ａへの充電制御の時間のリセットは、外部電源供給停止状態においてリモコン送信器Ｒを操作することにより行う。バッテリ１３ａが交換された後、第２充電制御回路１３ｃによるバッテリ１３ａの充電制御が行われ、外部電源供給停止時にリモコン送信器Ｒを操作し、計時時間リセット信号をリモコン送信器Ｒから送出し、第１受信部８１が計時時間リセット信号を受信し、第１受信部制御回路８１ｂが充電制御装置１３０の第１充電制御検出回路１３ｅに第１充電制御検出回路１３ｅの第１充電制御回路１３ｂによるバッテリ１３ａへの充電制御の時間をリセットするように指示する。充電時間のリセットが行われた後に充電時間がリセットされたことを充電モニタ８８の点灯制御により報知してもよい。
【実施例４】
【０１１７】
本発明の実施例４の照明装置について図面を参照して説明する。また、同一部分には同一符号を付し、重複した説明は省略する。
【０１１８】
本発明の実施例４の照明装置の補助部品ユニット８について図３を参照して説明する。
【０１１９】
本実施例において、補助部品ユニット８のスイッチ８７は、リモコン送信器Ｒから送出される信号が受信可能な範囲内に複数の照明装置が設けられた場合に、それぞれの照明装置を区別するために複数のチャンネルを切り替えることができるようになっている。また、リモコン送信器Ｒには、複数の照明装置を選択して制御することが可能なようにチャンネル切替スイッチが設けられている。
【０１２０】
本実施例においては、スイッチ８７がチャンネル１およびチャンネル２を有する場合において説明する。この場合、リモコン送信器Ｒから送出される信号が受信可能な範囲内に２台の照明装置が設けられ、一方の照明装置はスイッチ８７がチャンネル１に設定され、他方の照明装置はスイッチ８７がチャンネル２に設定される。チャンネル１に設定された照明装置をリモコン送信器Ｒにより操作する場合は、チャンネル切替スイッチをチャンネル１に設定して操作する。また同様に、チャンネル２に設定された照明装置をリモコン送信器Ｒにより操作する場合は、チャンネル切替スイッチをチャンネル２に設定して操作する。
【０１２１】
スイッチ８７のチャンネル設定は、スイッチ８７に接続された第２受信部制御回路８４ｂにチャンネル設定情報として送出される。
【０１２２】
外部電源供給状態において、チャンネル１に設定された照明装置およびチャンネル２に設定された照明装置は、実施例１に記載の動作と同様の動作を行うことができる。例えば、リモコン送信器Ｒのチャンネル切替スイッチをチャンネル１に設定して、リモコン送信器Ｒをチャンネル１に設定された照明装置の光源部６が全光点灯するように操作するとリモコン送信器Ｒから全光点灯信号、およびチャンネル切替スイッチがチャンネル１に設定されていることに基づく信号、すなわちチャンネル信号として、チャンネル１信号が送出される。
【０１２３】
リモコン送信器Ｒから送出された全光点灯信号およびチャンネル１信号は、チャンネル１に設定された照明装置の第２受信部８４およびチャンネル２に設定された照明装置の第２受信部８４によりそれぞれ受信される。
【０１２４】
それぞれの照明装置において、全光点灯信号およびチャンネル１信号が第２受信部制御回路８４ｂに送られる（第３１ステップ）。それぞれの照明装置は第２受信部制御回路８４ｂに設けられたチャンネル情報比較回路により、チャンネル信号がスイッチ８７により設定されたチャンネル設定情報と一致するかどうか確認する（第３２ステップ）。チャンネル情報比較回路は、チャンネル信号とチャンネル設定情報が一致した場合にのみ全光点灯信号に基づく信号を光源点灯回路１１に送出する（第３３ステップ）。全光点灯信号に基づく信号により光源点灯回路１１は点灯制御され、光源部６の点灯状態が変化する（第３４ステップ）。なお、第３１ステップないし第３４ステップは制御の順序を問わないものである。
【０１２５】
リモコン送信器Ｒから送出される信号にチャンネル信号が付加され、第２受信部制御回路８４ｂに設けられたチャンネル情報比較回路により、チャンネル信号がスイッチ８７により設定されたチャンネル設定情報と一致するかどうか確認されることにより、リモコン送信器Ｒから送出される信号が受信可能な範囲内に複数の照明装置が設けられた場合でも、任意の照明装置のみを制御することができる。
【０１２６】
一方、電源供給停止状態において、チャンネル１に設定された照明装置およびチャンネル２に設定された照明装置は、実施例１に記載の動作と同様の動作を行うことができる。例えば、リモコン送信器Ｒのチャンネル切替スイッチをチャンネル１に設定して、リモコン送信器Ｒをチャンネル１に設定された照明装置の補助光源としての保安灯８６が消灯するように操作するとリモコン送信器Ｒから光源消灯信号、およびチャンネル１信号が送出される。
【０１２７】
リモコン送信器Ｒから送出された光源消灯信号およびチャンネル１信号は、チャンネル１に設定された照明装置の第２受信部８４およびチャンネル２に設定された照明装置の第２受信部８４によりそれぞれ受信される。
【０１２８】
それぞれの照明装置において、光源消灯信号およびチャンネル１信号が第１受信部制御回路８１ｂに送られる（第３５ステップ）。それぞれの照明装置の第１受信部制御回路８１ｂはチャンネル信号に関わらず光源消灯信号に基づく信号を補助光源点灯制御回路８６ｂに送出する（第３６ステップ）。それぞれの照明装置は、光源消灯信号に基づく信号により補助光源点灯制御回路８６ｂが点灯制御され、保安灯８６の点灯状態が変化し、保安灯８６は消灯する（第３７ステップ）。なお、第３５ステップないし第３７ステップは制御の順序を問わないものである。
【０１２９】
リモコン送信器Ｒから送出される信号にチャンネル信号が付加され、第１受信部８１に受信された後、第１受信部制御回路８１ｂにおいてチャンネル信号に関わらず第１受信部制御回路８１ｂは、リモコン送信器Ｒから送出された信号に基づき補助光源点灯回路８６ｂを制御するように指示する。よって、電源供給停止状態において、スイッチ８７のチャンネル設定およびリモコン送信器Ｒのチャンネル設定に関わらず、リモコン送信器Ｒにより補助光源としての保安灯８６を点灯制御することができる。
実施例４の効果について説明する。
【０１３０】
実施例４の照明装置は、第１受信部制御回路８１ｂは、スイッチ８７のチャンネル設定に基づくチャンネル設定情報とリモコン送信器Ｒのチャンネル切替スイッチの設定に基づくチャンネル信号との比較を行わないので、リモコン送信器Ｒのチャンネル切替スイッチの設定を切り替えることなく、リモコン送信器Ｒから送出される信号が受信可能な範囲内に設けられた複数の照明装置を同時に同様の操作することができる。また、不所望に保安灯８６が点灯した場合には容易に消灯等の点灯制御ができるので、バッテリ１３ａの消費電力を低減することができ、照明装置のバッテリ１３ａの充電制御に伴う待機電力を低減することができる。
【実施例５】
【０１３１】
本発明の実施例５の照明装置について図面を参照して説明する。また、同一部分には同一符号を付し、重複した説明は省略する。実施例５の照明装置は、図５に示す照明装置１００と同様の回路構成を有している。
【０１３２】
実施例５の照明装置の動作について説明する。
【０１３３】
実施例５の照明装置は、実施例１の照明装置１００の第６ステップの動作が異なっている。実施例５の照明装置は、補助光源点灯制御回路８６ｂにバッテリ１３ａから電力が供給されたとしてもバッテリ１３ａからの電力供給と同時に保安灯８６を点灯させることはなく、第１受信部制御回路８１ｂからの信号入力の待機状態となる（第４１ステップ）。リモコン送信器Ｒから送出された信号は第１受信部８１により受信され、第１受信部制御回路８１ｂに送出される（第４２ステップ）。第１受信部制御回路８１ｂは、第１受信部８１により受信された信号に基づき、補助光源としての保安灯８６を点灯制御するように補助光源点灯制御回路８６ｂに指示する（第４３ステップ）。実施例５の照明装置は、実施例１の照明装置１００の第３ステップないし第５ステップに加えて、第４１ステップないし第４３ステップの動作により保安灯８６の点灯制御を開始する。なお、第３ステップないし第５ステップ、および第４１ステップないし第４３ステップは制御の順序を問わないものである。
【０１３４】
すなわち、実施例５の照明装置は、電源供給停止状態となったことのみにより保安灯８６の点灯制御を開始することはなく、リモコン送信器Ｒから信号が送出されること、またはリモコン送信器Ｒから送出された信号が第１受信部８１により受信されることにより、保安灯８６の点灯制御が開始される。
実施例５の効果について説明する。
【０１３５】
実施例５の照明装置は、電源供給停止状態となったことのみにより保安灯８６の点灯制御を開始することはなく、リモコン送信器Ｒから信号が送出されること、またはリモコン送信器Ｒから送出された信号が第１受信部８１により受信されることにより、保安灯８６の点灯制御が開始されるので、リモコン送信器Ｒの操作なく不所望に補助光源としての保安灯８６が点灯制御されることがなく、バッテリ１３ａの消費電力を低減し、保安灯８６の点灯時間を長くすることができ、保安灯８６に対する信頼性を高めることを期待できる。また、不所望に保安灯８６が点灯制御されることがないので、バッテリ１３ａの充電制御に伴う消費電力を低減することができる。さらに、バッテリ１３ａの充電制御および放電のサイクルを低減することができ、バッテリ１３ａの劣化を抑制することができる。
【０１３６】
本発明のいくつかの実施形態を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【０１３７】
１３ｂ・・・第１充電制御回路
１３ｃ・・・第２充電制御回路
１３ｄ・・・放電時間検出回路
１３ｅ・・・第１充電制御検出回路
１３０・・・充電制御装置
１３ａ・・・バッテリ
６・・・光源としての光源部
８６・・・補助光源としての保安灯
１０３・・・照明装置
【図１】
2012249352.tif 000003
【図２】
2012249352.tif 000004
【図３】
2012249352.tif 000005
【図４】
2012249352.tif 000006
【図５】
2012249352.tif 000007
【図６】
2012249352.tif 000008
【図７】
2012249352.tif 000009
【図８】
2012249352.tif 000010